(57)【要約】【課題】筒状操作体を回すだけで簡単に錠前を施錠することができること。また解錠の際には両手の指を使わないと、簡単には解錠できないこと。【解決手段】施錠の際には指で筒状操作体２１を施錠方向へ回転操作すると、可動ロック片３１は案内溝２５に案内されながら付勢バネ３５のバネ力により突出して固定部材のストッパー部１５に係合し、該筒状操作体２１は解錠方向への回転が阻止され、一方、解錠の際には、一方の手の指で係合解除具を摘んで可動ロック片３１を係合解除方向へ引いたままの状態を保持しながら、他方の手の指で筒状操作体２１を解錠方向へ回転させること特徴とする防犯用サムターン装置。【選択図】　図１
2004124627.tif 000002
【特許請求の範囲】
【請求項１】
固定部材としてのサムターン取付け筒１１の中空胴部１２に、ストッパー部１５と、このストッパー部１５を基準にして周方向に案内長孔１６とをそれぞれ形成し、また前記中空胴部１２に外嵌合する筒状操作体２１の制御部２２に、係止面を有する制御係合部２４と、可動ロック片用案内溝２５をそれぞれ形成し、また前記案内溝２５に前記ストッパー部１５と係脱する可動ロック片３１と、該可動ロック片を係合方向へ付勢する付勢バネ３５とをそれぞれ組込み、またサムターン取付け筒１１に回転体３６を内装し、さらに前記回転体３６には、前記案内長孔１６を貫通して前記係止面に当接可能な可動ロック片係合解除用可動ピン３９を設け、施錠の際には指で前記筒状操作体２１を施錠方向へ回転操作すると、可動ロック片３１は案内溝２５に案内されながら付勢バネ３５のバネ力により突出してストッパー部１５に係合し、該筒状操作体２１は解錠方向への回転が阻止され、一方、解錠の際には、一方の手の指で係合解除具を摘んで可動ロック片３１を係合解除方向へ引いたままの状態を保持しながら、他方の手の指で筒状操作体２１を解錠方向へ回転させること特徴とする防犯用サムターン装置。
【請求項２】
請求項１に於いて、筒状操作体２１は、サムターン取付け筒１１の中空胴部１２に回転可能に装着される筒状制御部２２と、この筒状制御部２２の外端部外周壁に突設された指掛け操作部２３とから成ることを特徴とする防犯用サムターン装置。
【請求項３】
請求項１に於いて、可動ロック片３１は、端部に可動ピンと摺接するカム面３２ａを有する第１嵌合指部３２と、この第１嵌合指部３２と交差方向に連設し、かつ、突出端部にストッパー部１５に係脱する係合爪部３３ａを有する第２嵌合指部３３とから成ることを特徴とする防犯用サムターン装置。
【請求項４】
請求項１に於いて、サムターン取付け筒１１の中空胴部１２の外周壁に凹所を形成し、一方、施錠時に該凹所と対向する山形状の凹所を筒状操作体２１Ａの筒状制御部２２Ａの内壁面に形成し、前記凹所には、クリック機構構成部材を組み込んだことを特徴とする防犯用サムターン装置。
【請求項５】
請求項１に於いて、回転体３６は、サムターン取付け筒１１から外れないようにサムターン取付け筒１１の後端部内周壁に形成した係止溝１７に係合する弾性止め具４１にその外端面が支持されていることを特徴とする防犯用サムターン装置。
【請求項６】
請求項１に於いて、係合解除具は、可動ロック片３１の係合孔３４に螺合するオネジであることを特徴とする防犯用サムターン装置。
【請求項７】
請求項１に於いて、係合解除具は、可動ロック片３１の結合爪部３３ａに形成した被係合部３３ｂに係合する細い棒状体であることを特徴とする防犯用サムターン装置。
【発明の詳細な説明】
【０００１】
【発明の属する技術分野】
本発明は、サムターン回しが容易でない防犯用サムターン装置に関する。
【０００２】
【従来の技術】
近年、扉の隙間（チリ）、ドアスコープなどから針金や紐部材を差込み、サムターン装置を構成する摘み操作体（通称、「サムターン」）を操作し、錠前を不正解錠する手口が増えている。このような不正解錠の対策として、防犯用サムターン装置にも室内側シリンダーを内蔵し、合鍵で室内側シリンダーを施・解錠する考え方が、例えば特開平１１−９３４８２号公報に提案されている。
【０００３】
この公報に記載の発明の課題は、外部から室内側の不正な解錠操作を困難にし、就寝時、外出時等における防犯効果の向上を図ることである。そこで、従来の防犯用サムターン装置は、錠前の錠箱に内外のシリンダー錠をそれぞれ同軸上に取付け、外側のシリンダー錠のみならず、内側のサムターンシリンダー錠も、「合鍵」がなければ解錠しないように構成している。
【０００４】
確かに、上記実施例は、「合鍵」がなければサムターンシリンダー錠を解錠状態にすることができないという点で防犯性に優れているといえよう。しかしながら、実際問題として、合鍵をサムターンシリンダー錠に差し込んだままの状態（合鍵を抜き取らず、合鍵の摘み部をサムターン代わりに使用している状態）の場合には、外部の侵害者に合鍵を操作される可能性がある。特に、近年、玄関扉では扉の全部又は一部にガラス板を嵌め込んだ構造のものが出現しているが、このような玄関扉は、侵入者にガラス板を破壊された時、いわゆるサムターン回しをされる可能性がある。
【０００５】
そこで、現在、防犯性を最重要視し、外部からの侵入者が、たとえ扉のガラス板を破壊したケースであっても、簡単にサムターン回しをすることができない反面、施錠の際には指の操作だけで簡単に施錠を行うことができる安価な防犯用サムターン装置が要望されている。
【０００６】
【発明が解決しようとする課題】
本発明の第１の目的は、上記に記載した従来実施例の発明の課題を生かしながら、さらに、施錠したい時に、筒状操作体を回すだけで簡単に錠前を施錠することができる防犯用サムターン装置を提供することである。第２の目的は、両手の指を利用しない限り、サムターン装置を容易に解錠することができないようにすることである。特に、ガラスを有する扉に錠前が取付けられている場合に於いて、侵入者によってガラスを割られた場合であっても、筒状操作体を解錠方向へ容易に回すことができず、これによって、外部からの不正な解錠を防止することができる。第３の目的は、安価に製造することができることである。
【０００７】
【課題を解決するための手段】
本発明の防犯用サムターン装置は、固定部材としてのサムターン取付け筒１１の中空胴部１２に、ストッパー部１５と、このストッパー部１５を基準にして周方向に案内長孔１６とをそれぞれ形成し、また前記中空胴部１２に外嵌合する筒状操作体２１の制御部２２に、係止面を有する制御係合部２４と、可動ロック片用案内溝２５をそれぞれ形成し、また前記案内溝２５に前記ストッパー部１５と係脱する可動ロック片３１と、該可動ロック片を係合方向へ付勢する付勢バネ３５とをそれぞれ組込み、またサムターン取付け筒１１に回転体３６を内装し、さらに前記回転体３６には、前記案内長孔１６を貫通して前記係止面に当接可能な可動ロック片係合解除用可動ピン３９を設け、施錠の際には指で前記筒状操作体２１を施錠方向へ回転操作すると、可動ロック片３１は案内溝２５に案内されながら付勢バネ３５のバネ力により突出してストッパー部１５に係合し、該筒状操作体２１は解錠方向への回転が阻止され、一方、解錠の際には、一方の手の指で係合解除具を摘んで可動ロック片３１を係合解除方向へ引いたままの状態を保持しながら、他方の手の指で筒状操作体２１を解錠方向へ回転させること特徴とする。
【０００８】
【発明の実施の形態】
図１乃至図９は、本発明の第１実施例を示す各説明図である。まず、図１を参照に本発明の環境部材を説明する。なお、図１は本発明の技術的思想を説明するための概略説明図であるから、扉の厚さ寸法、扉に対する錠前を構成する各部材の取付け位置は設計図面通りではない。また、本発明の特定要件に関係のない部分や部材は簡略ないし省略してある。
【０００９】
さて、Ｘは住宅、施設、事務所、管理室等の出入り口（非常口も含む）の扉１に取付けられた錠前である。本発明の防犯用サムターン装置２は屋内側３の扉面１ａに突出状態に取付けられる。
【００１０】
したがって、４は屋外、５は屋外側の扉面１ｂに突出状態に取付けられ、かつ、内部に複数個のピンタンブラーを有するシリンダー錠６を内蔵したシリンダー取付け筒である。
【００１１】
７は扉１の自由端部に埋め込まれた錠箱、８は錠箱７に受け座を介して所定量回転自在に設けられた駆動カム（当業者用語では「ダルマ」）、９は駆動カム８の駆動力により出没する施錠片（当業者用語では「デッドボルト」）である。デッドボルト９は、図示しない戸枠側のストライクに係脱する。
【００１２】
本発明の防犯用サムターン装置２は、後述する固定部材としてのサンターン取付け筒に回転体（例えば駆動体）を内蔵しているが、普通一般に室内（サムターン）側の回転体の駆動軸と屋外側のシリンダー錠６のそれとは同軸に位置し、いずれか一方を回転させると、デッドボルト９は錠箱７のフロントを基準にして出没する。すなわち、内外の回転体の駆動軸は、互いに連動するように機械的に連結されており、本実施例では外側の鍵Ｋ又はサムターン装置２の筒状操作体（サムターン）２１のいずれか一方を操作すると、駆動カム８が回転し、その係合駆動腕によりデッドボルト９が出没（施・解錠）する。
【００１３】
次に防犯用サムターン装置２を構成する主要部材について説明する。１１は一端部側が扉１の内壁面１ａから突出し、一方、他端部が錠箱７の幅広側壁に形成した嵌合孔に嵌合するように扉１に固定されたサムターン取付け筒である。このサムターン取付け筒１１は、図２（説明の便宜上、先端部側かつ底面側から見た斜視図）及び図３（説明の便宜上、後端部側かつ平面側から見た斜視図）で示すように、中空胴部１２と、この中空胴部１２の先端部側の開口を塞ぐ環状部１３とから成る。
【００１４】
しかして、１４，１４は中空胴部１２の後端部外周壁の一部に対称的に突設された嵌合突起で、これらの嵌合突起１４，１４は、前述した錠箱７の嵌合孔に嵌合する。１５は前記嵌合突起１４の一つ、又は中空胴部１２の後端部外周壁の一部に小突起状に設けられたストッパー部で、このストッパー部１５は後述する可動ロック片を介して回転体の解錠方向への回転を阻止する。
【００１５】
１６はストッパー部１５を基準にして中空胴部１２の後端部外周壁の一部に形成された案内長孔で、この案内長孔１６は、本実施例では図１で示すように扉１に対する取付け状態に於いて、中空胴部１２の底面側に形成されている。
【００１６】
図２はサムターン取付け筒１１の説明の便宜上、先端部側かつ底面側から見た斜視図であるが、この図２から明らかなように、案内長孔１６は嵌合突起１４の内壁面の略中央部に突起状に形成されたストッパー部１５の前方直下に位置するように中空胴部１２の周方向に弧状に形成されている。１７はサムターン取付け筒１１の中空胴部１２の後端部内周壁にリング状に形成された弾性止め具用係止溝である。
【００１７】
２１はサムターン取付け筒１１に外嵌合する摘み操作部材としての筒状操作体で、この筒状操作体２１は、図４及び図５で示すようにサムターン取付け筒１１の中空胴部１２に回転可能に装着される筒状制御部２２と、この筒状制御部２２の外端部外周壁の一部に対称的に突設された複数個の山形状指掛け操作部２３とから成る。
【００１８】
しかして、２４は前記筒状制御部２２の内端部の外周壁に一部形成された制御係合部（例えば長孔、切欠部など）で、この制御係合部２４は、図４を基準にすると、係止面の一例としての一方の係止切欠端面２４ａと、この係止切欠端面２４ａと対向する他方の係止切欠端面２４ｂと、これらの係止切欠端面２４ａ，２４ｂの間の切欠端面２４ｃとをそれぞれ有している。
【００１９】
また筒状操作体２１は、内端部の内周壁に可動ロック片３１の形状に適合する案内溝２５を有する。この案内溝２５は、図５で示すように、例えば周方向に一部形成された第１遊嵌合溝２５ａと、この第１遊嵌合溝２５ａと直交する第２嵌合溝２５ｂとから成り、可動ロック片３１をサムターン取付け筒１１のストッパー部１５に対して係脱する方向に案内する。なお、前記第２嵌合溝２５ｂは、可動ロック片３１の係合爪部が突出するように内端面まで至っている。
【００２０】
さらに、本実施例では、筒状操作体２１の筒状制御部２２の係止切欠端面２４ａ付近には、半径方向に係合解除具用の逃し窓２６が一部形成されている。この逃し窓２６には可動ロック片３１と係脱可能なピン或いはボタン状係合解除具（例えばオネジ）２７が貫通状態に入り込む。
【００２１】
３１は可動ロック片である。この可動ロック片３１は、前述したように案内溝２５にスライド自在に遊嵌合する。したがって、本実施例では、可動ロック片３１はサムターン取付け筒１１の中空胴部１２の外壁面に添設状態で筒状操作体２１の筒状制御部２２の案内溝２５に係脱方向（後述の駆動軸４０の軸方向）にスライド自在に組み込まれている。
【００２２】
しかして、可動ロック片３１は、図６で示すように案内溝２５の第１遊嵌合溝２５ａに遊嵌合するやや弧状の第１嵌合指部３２と、この嵌合指部３２に直交状態に連設しかつ案内溝２５の第２嵌合溝２５ｂに嵌合する人差し指状の第２嵌合指部３３とから成り、前記第２嵌合指部３３の外端部には、サムターン取付け筒１１のストッパー部１５と係脱する刃先状の係合爪部３３ａが形成されている。そして、前記第２嵌合指部３３の中央部には、前述した係合解除具（例えばオネジ）２７が螺合する係合孔（例えばメネジ）３４が形成されている。
【００２３】
３５は可動ロック片３１を一方向（係脱方向）に常時付勢する付勢バネ（例えばコイルバネ）で、この付勢バネ３５は、筒状操作体２１の案内溝２５に適宜収納されている。
【００２４】
次にサムターン取付け筒１１に内装された回転体３６について説明する。防犯用サムターン装置２の筒状操作体２１は、もっぱら錠前を施錠するために、一方、係合解除具２７はもっぱら可動ロック片３１の係合をストッパー部１５から解除するために用いられているので、必要のない時は、可動ロック片３１から取り外す。
【００２５】
したがって、本実施例のサムターン装置２は、侵入者に対する防犯効果に重視を置いている。換言すれば、施錠が簡単な反面、紛失の恐れがある合鍵を使用して頻々に解錠する必要のない錠前に適合する。
【００２６】
さて、円柱状回転体３６は、図１で示すようにサムターン取付け筒１１に内装されている。この回転体３６は、図４で示すように、外周壁の一部に可動ピン用の取付け孔（例えばメネジ）３８を有している。
【００２７】
しかして、前記取付け孔３８にはサムターン取付け筒１１の案内長孔１６から突出し、かつ、筒状操作体２１の切欠部２４内に至る可動ロック片係合解除用可動ピン３９が取り外し可能に螺合している。そして、回転体３６の外端面の中央部には駆動軸４０が設けられている。また回転体３６は、サムターン取付け筒１１から外れないように前述した係止溝１７に係合する弾性止め具４１（例えばＣ型リング）にその外端面が支持される。
【００２８】
次に図７乃至図９を参照に本発明の作用について説明する。図７は錠前Ｘの解錠時における筒状操作体２１の指掛け操作部２３の位置を示す。また図８は、錠前Ｘが解錠状態（可動ロック片３１がストッパー部１５から係合解除された状態）から施錠状態（可動ロック片３１がストッパー部１５に係止された状態）になる場合を示す。
【００２９】
本実施例では、施錠状態にするのは簡単であるが、解錠状態にするには非常に面倒である。まず、図８を参照に施錠状態にする場合について説明するが、解錠状態の時、（イ）筒状操作体２１の山形状指掛け操作部２３は図７で示すように略上下に位置し、（ロ）可動ロック片係合解除用可動ピン３９は、図８の実線で示すように、サムターン取付け筒１１のストッパー部１５の一方側から離れて案内長孔１６の一方側の切欠端面１６ａに当接し、（ハ）筒状操作体２１の一方の係止切欠端面２４ａは、前記案内長孔１６の一方側の切欠端面１６ａと略上下に一致し、（ニ）可動ロック片３１は、可動ピン３９にその第１嵌合指部３２の周方向縁辺が押されることにより、付勢バネ３５のバネ力に抗して筒状操作体２１内へと後退している。
【００３０】
そこで、上記解錠状態から施錠状態にする場合には、（ａ）筒状操作体２１の指掛け操作部２３に指を掛け、そのまま図７の矢印方向へ略９０度回す。なお、回転角度に関しては多少余裕がある。この時、従来の実施例のように合鍵を使用せず、筒状操作体２１を１本又は２本の指で回して施錠状態にする。これにより施錠時、筒状操作体２１の山形状指掛け操作部２３は仮想線で示すように左右に位置し、（ｂ）また可動ロック片係合解除用可動ピン３９は、サムターン取付け筒１１のストッパー部１５の他方側から離れて案内長孔１６の他方側の切欠端面１６ｂに当接し、（ｃ）筒状操作体２１の他方の切欠端面２４ｂは、案内長孔１６の他方側の切欠端面１６ｂから離れる反面、筒状操作体２１の一方の係止切欠端面２４ａは、前記他方側の切欠端面１６ｂに可動ピン３９を挟むように対向し、（ｄ）可動ロック片３１は可動ピン３９がその第１嵌合指部３２の周方向縁辺から離れることにより、付勢バネ３５のバネ力により筒状操作体２１から突出し、その係合爪部３３ａがサムターン取付け筒１１のストッパー部１５に係止される。なお、本実施例では可動ピン３９の第１嵌合指部３３の端部は傾斜状に形成され、この傾斜状のカム面３２ａに可動ピン３９が摺接可能である。
【００３１】
このように可動ロック片３１は、筒状操作体２１と共にサムターン取付け筒１１の周方向に回転移動し、所定の位置（本実施例では可動ピン３９が第１嵌合指部３２の周方向縁から離れた位置）にて付勢バネ３５のバネ力によりかつ案内溝２５に案内されながら突出してストッパー部１５に係合する。その結果、筒状操作体２１は解錠方向への回転（逆戻り）が阻止される。
【００３２】
一方、図９は、施錠状態から解錠状態にする場合を示す。錠前を解錠状態にする場合には、可動ロック片３１を一旦押し下げ、そのままの状態を保つながらで筒状操作体２１を解錠方向へ回転させる必要がある。本実施例では、まず、係合解除具２７を筒状操作体２１の逃し窓２６に差し込んで、可動ロック片３１の係合孔３４に螺着する。次に、一方の手の指で係合解除具２７の突出部を摘んで可動ロック片３１を付勢バネ３５のバネ力に抗して係合解除の方向へ後退させる。これにより可動ロック片３１の係合爪部３３ａがサムターン取付け筒１１のストッパー部１５から離れる。
【００３３】
そこで、係合解除具２７を引いたままの状態を保持しながら他方の手の指で筒状操作体２１を解錠方向へ回転させる。筒状操作体２１が回り始めると、可動ピン３９は筒状操作体２１の他方の係止切欠端面２４ｂによって元の位置に押し戻される。このように係合解除具２７は、解錠の時のみに使用されるので、必要がなければ可動ロック片３１から取り外す。
【００３４】
【実施例】
第１実施例に於いて、係合解除具２７の一例として可動ロック片３１に取り外し可能に螺着するオネジを示したが、係合解除具２７をこれに限定するものではない。何故ならば、可動ロック片３１を一旦押し下げる手段としては市販の小型ドライバー、ピンセットなどの適当な細い棒状体の利用も可能であるからである。
【００３５】
図１０及び図１１は、可動ロック片３１Ａの係合爪部３３ａを任意に設計変更（例えばやや幅広に形成）し、その先端面に被係合部（例えば小切欠３３ｂ）を形成し、係合解除具２７Ａとしての小型ドライバーの平らな先を該小切欠３３ｂに突っ込んで、可動ロック片３１Ａを係合解除の方向へスライドさせ、ストッパー１５から解放しながら解錠した場合を示している。
【００３６】
したがって、一方の手の指で可動ロック片３１に係合する係合解除具２７を介して該可動ロック片３１を係合解除の方向へ後退させることは本発明の特定要件であるが、筒状操作体２１に逃し窓２６を形成すること、係合解除具２７がオネジであること及び係合解除具２７が可動ロック片３１の係合孔３４に螺着することは本発明の特定（限定）要件ではない。
【００３７】
また、ストッパー部１５は小突起状に形成されているが、後端部外周壁の一部に周方向に突壁状に設けても良い。さらに、筒状操作体２１の筒状制御部２２に形成された制御係合部２４は、周方向に形成された案内長孔であっても良い。
【００３８】
次に、特定発明に対して特定の関係（主要部）を有する第２実施例について説明する。なお、第２の実施例の説明にあたって、第１実施例と同一又は同様（機能が同一）の部分には、同一又は同様の符号を付し、重複する説明を省略する。
【００３９】
図１２及び図１３に示す第２実施例のサムターン装置２Ａに於いて、第１実施例と主に異なる点は、サムターン取付け筒１１Ａの中空胴部１２の外周壁に凹所５１を形成し、一方、施錠時に該凹所５１と対向する山形或いは曲面状の凹所５２を筒状操作体２１Ａの筒状制御部２２Ａの内壁面に形成し、前記凹所には、クリック機構構成部材を組み込んだことである。しかして、クリック機構構成部材としては、サムターン取付け筒１１Ａの凹所５１に組み込んだクリックバネ５３と、このクリックバネ５３により付勢され、かつ、ストッパー部１５に可動ロック片３１の係合爪部３３ａが係合可能な状態になった時（錠前の施錠時）に筒状操作体２１Ａの曲面状の凹所５２に係合するロケット頭部型クリック係合体５４とから成る。このように構成すると、施錠時にクリック感を得ることができる。
【００４０】
【発明の効果】
以上の説明から明らかなように、本発明にあっては、次に列挙するような効果がある。
（１）施錠の際には１本又は２本の指で筒状操作体を施錠方向へ回転操作すると、可動ロック片は所定位置にて付勢バネのバネ力により突出して固体部材側のストッパー部に係合する。そのため筒状操作体は解錠方向への回転が阻止される。したがって、施錠が簡単である。
（２）一方、解錠の際には、係合解除具を介して可動ロック片を筒状操作体内に後退させながら、かつ、筒状操作体を解錠方向へと回転させる必要があるので、両手の指を上手に使用しないと、錠前Ｘを簡単には解錠することができない。したがって、外部からの侵入者が、たとえ扉のガラス板を破壊したケースであっても、簡単にサムターン回しをすることができないので、非常に防犯性に優れている。
（３）サムターンシレンダー錠を構成要件としていないので、安価に製造することができる。
（４）合鍵を構成要件としていないので、紛失の恐れもない。
【図面の簡単な説明】
図１乃至図９は本発明の第１実施例を示す各説明図。図１０及び図１１は、係合解除具の他例を用いて解錠する場合の各概略説明図。図１２及び図１３は、特定発明に対して特定の関係（主要部）を有する第２実施例である。
【図１】実施環境を含む使用状態の一例を示す概略説明図。
【図２】主たる部材（サムターン取付け筒）の先端部側かつ底面側から見た斜視図。
【図３】主たる部材（サムターン取付け筒）の後端部側かつ平面側から見た斜視図。
【図４】主たる部材の分解斜視図。
【図５】図４と対比した主たる部材の概略説明図。
【図６】主たる部材（可動ピン、可動ロック片、付勢バネなど）の概略説明図。
【図７】主たる部材（操作体）の操作態様を示す正面図。
【図８】解錠状態から施錠状態になる場合の概略説明図。
【図９】施錠状態から解錠状態になる場合の概略説明図。
【図１０】係合解除具の他の例を示す概略説明図
【図１１】図１０に於いて他例の係合解除具で解錠した場合の概略説明図。
【図１２】第２実施例の図１と同様な概略説明図。
【図１３】要部の概略説明図。
【符号の説明】
Ｘ…錠前、１…扉、２…サムターン装置、３…屋内、４…屋外、５…シリンダー取付け筒、６…シリンダー錠、７…錠箱、８…駆動カム、９…施錠片、１１…サムターン取付け筒、１２…中空胴部、１３…環状部、１４…嵌合突起、１５…ストッパー部、１６…案内長孔、１７…弾性止め具用係止溝、２１…筒状操作体、２２…筒状制御部、２３…操作部、２４…制御係合部、２４ａ…係止面、２５…案内溝、２５ａ…第１遊嵌合溝、２５ｂ…第２嵌合溝、２６…逃し窓、２７，２７Ａ…係合解除具、３１，３１Ａ…可動ロック片、３２…第１嵌合指部、３２ａ…カム面、３３…第２嵌合指部、３３ａ…係合爪部、３３ｂ…小切欠、３４…係合孔、３５…付勢バネ、３６…回転体、３７…係合溝、３８…取付け孔、３９…可動ロック片係合解除用可動ピン、４０…駆動軸、４１…止め具。
【図１】
2004124627.tif 000003
【図２】
2004124627.tif 000004
【図３】
2004124627.tif 000005
【図４】
2004124627.tif 000006
【図５】
2004124627.tif 000007
【図６】
2004124627.tif 000008
【図７】
2004124627.tif 000009
【図８】
2004124627.tif 000010
【図９】
2004124627.tif 000011
【図１０】
2004124627.tif 000012
【図１１】
2004124627.tif 000013
【図１２】
2004124627.tif 000014
【図１３】
2004124627.tif 000015